(57)【要約】【課題】外部へ電波が漏洩することを防止することができる読取装置を提供する。【解決手段】実施形態によれば、読取装置は、収納容器と、アンテナと、複数の反射素子と、を備える。収納容器は、開口部を有し壁面から構成される。アンテナは、前記収納容器の内側に形成され、無線タグと電波を送受信する。複数の反射素子は、前記壁面に形成され、前記アンテナが照射する電波を反射する。【選択図】      図３
2019139702.tif 000002
【特許請求の範囲】
【請求項１】
開口部を有し壁面から構成される収納容器と、
前記収納容器の内側に形成され、無線タグと電波を送受信するアンテナと、
前記壁面に形成され、前記アンテナが照射する電波を反射する複数の反射素子と、
を備える読取装置。
【請求項２】
前記壁面は、導電体から形成され、
前記複数の反射素子は、スイッチを介して前記壁面に電気的に接続する、
前記請求項１に記載の読取装置。
【請求項３】
前記壁面は、導電体から形成され、
前記複数の反射素子は、コンデンサを介して前記壁面に電気的に接続する、
前記請求項１に記載の読取装置。
【請求項４】
前記複数の反射素子は、スイッチを介して互いに電気的に接続する、
前記請求項１に記載の読取装置。
【請求項５】
前記複数の反射素子は、コンデンサを介して互いに電気的に接続する、
前記請求項１に記載の読取装置。
【発明の詳細な説明】
【技術分野】
【０００１】
本発明の実施形態は、読取装置に関する。
【背景技術】
【０００２】
読取装置には、収納容器と無線タグを読み取るためのアンテナとから構成されるものがある。そのような読取装置は、収納容器に投入された商品などに添付される無線タグを読み取る。
【０００３】
従来、読取装置は、アンテナからの電波が収納容器の外部へ漏洩することがある。その結果、読取装置は、収納容器外の無線タグを読み取ってしまうことがある。
【先行技術文献】
【特許文献】
【０００４】
【特許文献１】特開２０１６−１２２１１号公報
【発明の概要】
【発明が解決しようとする課題】
【０００５】
上記の課題を解決するため、外部へ電波が漏洩することを防止することができる読取装置を提供する。
【課題を解決するための手段】
【０００６】
実施形態によれば、読取装置は、収納容器と、アンテナと、複数の反射素子と、を備える。収納容器は、開口部を有し壁面から構成される。アンテナは、前記収納容器の内側に形成され、無線タグと電波を送受信する。複数の反射素子は、前記壁面に形成され、前記アンテナが照射する電波を反射する。
【図面の簡単な説明】
【０００７】
【図１】図１は、第１の実施形態に係る読取システムの構成例を示す図である。
【図２】図２は、第１の実施形態に係る読取装置の構成例を示す図である。
【図３】図３は、第１の実施形態に係る外層の構成例を示す図である。
【図４】図４は、第１の実施形態に係る反射部材の構成例を示す図である。
【図５】図５は、第２の実施形態に係る反射部材の構成例を示す図である。
【図６】図６は、第３の実施形態に係る反射部材の構成例を示す図である。
【図７】図７は、第４の実施形態に係る反射部材の構成例を示す図である。
【図８】図８は、第５の実施形態に係る反射部材の構成例を示す図である。
【図９】図９は、第５の実施形態に係る読取装置の構成例を示す図である。
【発明を実施するための形態】
【０００８】
以下、実施形態について、図面を参照して説明する。  
（第１の実施形態）
まず、第１の実施形態について説明する。  
第１の実施形態に係る読取システムは、無線タグを読み取る。たとえば、読取システムは、商品を販売する店舗などに設置される。読取システムは、商品などに添付された無線タグから情報を読み取る。
【０００９】
読取システムは、ＲＦＩＤ（radio frequency identifier）などの無線システムにより、無線タグから情報を読み取る。即ち、読取システムは、無線タグに対してリードコマンドを送信することで、それぞれの無線タグを特定する識別子などを取得する。
【００１０】
図１は、読取システム１ａの構成例を示す図である。図１が示すように、読取システム１ａは、ＰＯＳ（point of sale）端末１０、プリンタ２０及び読取装置３０ａなどを備える。ＰＯＳ端末１０とプリンタ２０とは、電気的に接続する。ＰＯＳ端末１０と読取装置３０ａとは、電気的に接続する。なお、読取システム１ａは、図１が示すような構成の他に必要に応じた構成を具備したり、読取システム１ａから特定の構成が除外されたりしてもよい。
【００１１】
ここでは、読取システム１ａは、商品４０の無線タグ４１から識別子を読み取るものとする。
【００１２】
ＰＯＳ端末１０は、商品４０を決済するための端末である。
【００１３】
たとえば、ＰＯＳ端末１０は、オペレータから所定の操作の入力を受け付けると、読取装置３０ａを用いて無線タグ４１から識別子を読み取る。また、ＰＯＳ端末１０は、継続的に読取装置３０ａを用いて無線タグ４１から識別子を読み取ってもよい。
【００１４】
ＰＯＳ端末１０は、商品４０の無線タグ４１から読み取った識別子に基づいて商品４０を特定する。ＰＯＳ端末１０は、商品４０の価格などの情報を取得する。ＰＯＳ端末１０は、価格などの情報に基づいて商品４０を決済する。ＰＯＳ端末１０は、現金、ポイント又はクレジットカードなどを用いて商品４０を決済する。
【００１５】
プリンタ２０は、ＰＯＳ端末１０からの信号に基づいて所定のデータを印刷する。プリンタ２０は、用紙を供給する供給部及び用紙に画像を形成する形成部などから構成される。たとえば、プリンタ２０の供給部は、用紙として感熱紙を供給する。プリンタの形成部は、感熱紙を加熱することで感熱紙に画像を印刷する。  
たとえば、プリンタ２０は、ＰＯＳ端末１０からの信号に基づいてレシート又はクレジット明細などを印刷する。
【００１６】
商品４０は、決済の対象となる商品である。商品４０は、無線タグ４１を備える。
【００１７】
無線タグ４１は、外部装置から無線で所定のデータを書き込まれ、又は、外部装置へ無線で所定のデータを送信する。
【００１８】
無線タグ４１は、外部装置から非接触で電力などの供給を受けて活性化される（動作可能な状態になる）。無線タグ４１は、通信インターフェースとしてのアンテナ及び変復調回路などを介して外部装置からの電波を受信する。無線タグ４１は、当該電波によって駆動する電源部により動作電源及び動作クロックを生成して活性化する。
【００１９】
活性化すると、無線タグ４１は、アンテナを通じて外部装置とデータ通信することができる。たとえば、無線タグ４１は、アンテナを通じてリーダなどからアクセスパスワードなどを受信し、リーダとの通信を確立する。また、無線タグ４１は、アンテナを通じてリーダ所定のデータを送受信する。
【００２０】
無線タグ４１は、予め自身を特定する識別子を格納する。無線タグ４１は、リーダからのコマンドに従って、リーダへ識別子を送信する。  
たとえば、無線タグ４１は、ＲＦＩＤタグなどである。なお、無線タグ４１の構成は、特定の構成に限定されるものではない。
【００２１】
読取装置３０ａは、商品４０の無線タグ４１から識別子を読み取るためのインターフェースである。読取装置３０ａは、内部に投入された商品４０の無線タグ４１から識別子を取得する。読取装置３０ａは、取得した識別子をＰＯＳ端末１０に送信する。
【００２２】
たとえば、読取装置３０ａは、ＰＯＳ端末１０が設置されるテーブルに形成される。即ち、読取装置３０ａは、テーブル上に商品４０を投入する開口部が形成されるように設置される。なお、読取装置３０ａの設置場所は、特定の構成に限定されるものではない。
【００２３】
読取装置３０ａは、１つの商品の無線タグを読み取るものであってもよいし、一度に複数の商品の各無線タグを読み取るものであってもよい。
【００２４】
図２は、読取装置３０ａの構成例を示す図である。図２が示すように、読取装置３０ａは、上面を開放する。また、読取装置３０ａは、二重構造になっている。
【００２５】
読取装置３０ａは、外層３１（収納容器）、内層３２、リーダ３３及びアンテナ３４などから構成される。リーダ３３とアンテナ３４とは、電気的に接続する。
【００２６】
外層３１は、読取装置３０ａの外形を形成するフレームである。外層３１は、立方体状に形成される。外層３１は、上面に所定の大きさの開口部３５を有する。ここでは、開口部３５は、矩形に形成される。たとえば、外層３１は、金属などの導電体から構成される。
【００２７】
内層３２は、外層３１の内部に形成される。内層３２は、外層３１の壁面と所定の幅を空けて形成される。内層３２は、立方体状に形成される。即ち、内層３２は、外層３１よりも小さい立方体として形成される。内層３２は、上面が開口し、開口部３５に接続する。たとえば、内層３２は、少なくとも一部を電波を通す素材から構成される。たとえば、内層３２は、プラスチックなどから構成される。
【００２８】
内層３２は、オペレータが商品４０を投入又は取出可能に形成される。たとえば、内層３２は、商品４０よりも大きく形成される。
【００２９】
たとえば、内層３２は、買い物袋などを開いた状態で固定できる構造となっている。オペレータは、買い物袋に商品４０を投入すると同時に内層３２に商品４０が投入される。
【００３０】
リーダ３３は、アンテナ３４に電気的に接続され、アンテナ３４は、外層３１と内層３２との間に形成される。ここでは、リーダ３３及びアンテナ３４は、外層３１の底面に形成される。また、リーダ３３は外層３１の外側に設置してもよい。
【００３１】
リーダ３３は、アンテナ３４を通じて、無線タグ４１との無線通信するデバイスである。リーダ３３は、無線タグ４１とデータ通信することで無線タグ４１の識別子などを読み取る。たとえば、リーダ３３は、所定のリードコマンドを無線タグ４１に送信する。リーダ３３は、リードコマンドに対するレスポンスとして識別子を受信する。リーダ３３は、受信した識別子をＰＯＳ端末１０へ送信する。
【００３２】
アンテナ３４は、リーダ３３が無線タグ４１と無線通信するためのアンテナである。アンテナ３４は、内層３２内に電波を放射する。たとえばアンテナ３４は、上方に指向性を有する指向性アンテナであってもよい。
【００３３】
たとえば、アンテナ３４は、パッチアンテナ又はシーケンシャルアレイなど円偏波を放射するものである。なお、アンテナ３４の構成は、特定の構成に限定されるものではない。
【００３４】
また、アンテナ３４は、複数のアンテナから構成されてもよい。また、アンテナ３４は、外層３１の内側の側面に設置されるものであってもよい。
【００３５】
次に、外層３１について説明する。  
図３は、外層３１について説明するための図である。図３では、図の前後方向をｘ軸方向、左右方向をｙ軸方向及び上下方向をｚ軸方向とする。
【００３６】
外層３１は、ｘ軸方向に対向する２つの壁面、ｙ軸方向に対向する２つの壁面及びｚ軸方向に向く壁面（底面）から構成される。ここでは、代表して壁面３１１乃至３１３について説明する。
【００３７】
壁面３１１は、ｚ軸方向に向く壁面である（底面）。壁面３１１上にアンテナ３４が形成される。
【００３８】
壁面３１２は、ｘ軸方向に向く壁面である。また、壁面３１３は、ｙ軸方向に向く壁面である。
【００３９】
反射部材１００は、外層３１の内側に形成される。即ち、壁面３１１乃至３１３には、内側に反射部材１００が形成される。反射部材１００は、壁面３１１乃至３１３にそれぞれ複数形成される。
【００４０】
ここでは、壁面３１１乃至３１３には、それぞれ同数の反射部材１００が形成される。なお、壁面３１１乃至３１３は、それぞれ異なる個数の反射部材１００を備えてもよい。
【００４１】
次に、反射部材１００について説明する。図４は、反射部材１００について説明するための図である。ここでは、代表して、壁面３１１に形成される反射部材１００について説明する。
【００４２】
図４が示すように、反射部材１００は、壁面３１１上に格子状に配置される。また、反射部材１００は、隣接する反射部材１００と所定の間隔を空けて形成される。図４が示す例では、反射部材１００は、ｘ軸方向に距離ｂ及びｙ軸方向に距離ａ離れて配置される。
【００４３】
たとえば、距離ａ及び距離ｂは、アンテナ３４が放射する電波の波長の１／４以下である。  
なお、複数の反射部材１００は、位置によって異なる間隔及び形状であってもよい。
【００４４】
反射部材１００は、反射素子１０１及び支持部１０２などから構成される。  
反射素子１０１は、アンテナ３４からの電波を所定の反射率で反射する。また、反射素子１０１は、所定の大きさの矩形に形成される。即ち、反射素子１０１は、ｘ軸方向及びｙ軸方向にそれぞれ所定の長さに形成され所定の厚さを有する平面長方形状に形成される。反射素子１０１は、金属などの導電体から構成される。
【００４５】
なお、反射素子１０１は、円形又は多角形など他の平面形状であってもよい。また、反射素子１０１は、立方体などの立体形状であってもよい。反射素子１０１の構造は、特定の構造に限定されるものではない。
【００４６】
支持部１０２は、反射素子１０１を支持する。支持部１０２は、一端を壁面３１１に固定され、他端を反射素子１０１に固定される。支持部１０２は、金属などの導電体から構成される。即ち、支持部１０２は、反射素子１０１と壁面３１１とを電気的に接続する。
【００４７】
複数の反射部材１００が形成された壁面３１１は、アンテナ３４からの電波（放射波）を所定の反射率で反射する。即ち、複数の反射部材１００は、各反射素子１０１の間隔及び形状によって所定の反射率を構成するように形成される。  
なお、壁面３１１は、位置によって異なる反射率を有するものであってもよい。
【００４８】
壁面３１２及びｃにも同様に複数の反射部材１００が形成される。また、壁面３１２に対向する壁面及び壁面３１３に対向する壁面にも同様に複数の反射部材１００が形成される。
【００４９】
各壁面は、互いに異なる反射率で放射波を反射するものであってもよいし、同値の反射率で放射波を反射するものであってもよい。各壁面に形成される反射部材１００の個数、形状及び配置は、特定の構成に限定されるものではない。
【００５０】
なお、支持部１０２は、絶縁体であってもよい。即ち、反射素子１０１と壁面とは、絶縁していてもよい。
【００５１】
以上のように構成された読取装置は、投入された商品の無線タグを読み取るために、リーダを通じてアンテナから電磁波を照射する。読取装置は、無線タグの位置が不明であるため、アンテナからの電磁波が内層を満たすようにアンテナに電力を供給する。
【００５２】
アンテナからの電磁波は、反射素子によって壁面で反射する。即ち、アンテナからの電磁波は、空間を伝播し、反射素子及び壁面に到達する。反射素子に電磁波が到達すると、反射素子及び壁面に電流が発生する。発生した電流によって、反射波が発生する。
【００５３】
反射部材の構成及び配置を調整することで、反射素子に流れる電流の分布が操作される。電流の分布の操作によって、所定の方向への反射率を小さくするなど、反射波の主伝搬方向が制御させる。
【００５４】
その結果、読取装置は、外部に流出する反射波（即ち、開口部から流出する反射波）を抑制し、漏洩する電磁波を低減することができる。従って、読取装置は、外部にある無線タグを読み取ってしまうことを防止することができる。
【００５５】
また、反射率を制御することで、内層内における反射波の分布が制御される。その結果、読取装置は、内層内において無線タグの読取ができない領域の発生を防止することができる。
【００５６】
また、読取装置は、アンテナの移動などを行わずに上記の目的を達成することができる。
（第２の実施形態）
次に、第２の実施形態について説明する。  
第２の実施形態に係る読取装置は、反射素子１０１がスイッチを介して壁面に接続する点で第１の実施形態のそれと異なる。従って、他の構成については、同一の符号を付して詳細な説明を省略する。
【００５７】
図１が示すように、第２の実施形態に係る読取システム１ｂは、読取装置３０ａの代わりに読取装置３０ｂを備える。また、図２が示すように、読取装置３０ｂは、外層３１、内層３２、リーダ３３及びアンテナ３４などから構成される。
【００５８】
図５は、読取装置３０ｂが備える反射部材２００の構成例を示す。  
反射部材２００は、外層３１の各壁面に形成される。ここでは、代表して、壁面３１１に形成される反射部材２００について説明する。
【００５９】
図５が示すように、反射部材２００は、反射素子１０１及びスイッチ２０１などから構成される。
【００６０】
反射素子１０１については、前述の通りである。
【００６１】
スイッチ２０１は、反射素子１０１と壁面３１１とを電気的に接続する。即ち、スイッチ２０１は、一端を壁面３１１に接続し、他端を反射素子１０１に接続する。スイッチ２０１は、オペレータなどによってオン又はオフとなる。スイッチ２０１は、オンであれば、反射素子１０１と壁面３１１とを電気的に接続する。また、スイッチ２０１は、オフであれば、反射素子１０１と壁面３１１とを電気的に絶縁する。
【００６２】
スイッチ２０１は、反射素子１０１を壁面３１１に支持するものであってもよい。また、反射部材２００は、反射素子１０１を壁面３１１と絶縁した状態で支持する支持部材を備えてもよい。
【００６３】
前述の通り、スイッチ２０１は、オペレータによって操作される。たとえば、読取システム１ｂの設置時などおいて、オペレータは、各スイッチ２０１をオン又はオフにする。
【００６４】
オペレータは、壁面３１１の反射率が所定の反射率を持つように、各スイッチ２０１をオン又はオフにする。オペレータは、壁面３１１の位置に応じて異なる反射率を有するように、各スイッチ２０１をオン又オフにしてもよい。
【００６５】
以上のように構成された読取装置は、各反射素子と壁面とをスイッチによって接続する。そのため、各反射素子と壁面との電気的な接続状態は、互いに異なる。
【００６６】
その結果、放射波によって反射素子に流れる電流の分布が反射素子ごとに制御される。従って、各壁面の反射率は、より詳細に制御される。
（第３の実施形態）
次に、第３の実施形態について説明する。  
第３の実施形態に係る読取装置は、反射素子１０１が可変コンデンサを介して壁面に接続する点で第１の実施形態のそれと異なる。従って、他の構成については、同一の符号を付して詳細な説明を省略する。
【００６７】
図１が示すように、第３の実施形態に係る読取システム１ｃは、読取装置３０ａの代わりに読取装置３０ｃを備える。また、図２が示すように、読取装置３０ｃは、外層３１、内層３２、リーダ３３及びアンテナ３４などから構成される。
【００６８】
図６は、読取装置３０ｃが備える反射部材３００の構成例を示す。  
反射部材３００は、外層３１の各壁面に形成される。ここでは、代表して、壁面３１１に形成される反射部材３００について説明する。
【００６９】
図６が示すように、反射部材３００は、反射素子１０１及び可変コンデンサ３０１などから構成される。
【００７０】
反射素子１０１については、前述の通りである。
【００７１】
可変コンデンサ３０１は、反射素子１０１と壁面３１１とを電気的に接続する。即ち、可変コンデンサ３０１は、一端を壁面３１１に接続し、他端を反射素子１０１に接続する。可変コンデンサ３０１の電気容量は、オペレータなどの操作によって変化する。
【００７２】
可変コンデンサ３０１は、反射素子１０１を壁面３１１に支持するものであってもよい。また、反射部材３００は、反射素子１０１を壁面３１１と絶縁した状態で支持する支持部材を備えてもよい。
【００７３】
前述の通り、可変コンデンサ３０１は、オペレータによって操作される。たとえば、読取システム１ｃの設置時などおいて、オペレータは、各可変コンデンサ３０１の電気容量を調整する。
【００７４】
オペレータは、壁面３１１の反射率が所定の反射率を持つように、各可変コンデンサ３０１の電気容量を調整にする。オペレータは、壁面３１１の位置に応じて異なる反射率を有するように、各可変コンデンサ３０１の電気容量を調整してもよい。
【００７５】
なお、反射部材３００は、容量が固定されている固定コンデンサを備えてもよい。固定コンデンサは、反射素子１０１と壁面３１１とを電気的に接続する。
【００７６】
以上のように構成された読取装置は、各反射素子と壁面とを可変コンデンサによって接続する。そのため、可変コンデンサの電気容量を調整することで、各反射素子から壁面に流れる電流の量が制御される
その結果、放射波によって反射素子に流れる電流の分布が反射素子ごとに制御される。従って、各壁面の反射率は、より詳細に制御される。
（第４の実施形態）
次に、第４の実施形態について説明する。  
第４の実施形態に係る読取装置は、反射素子１０１同士がスイッチを介して接続する点で第１の実施形態のそれと異なる。従って、他の構成については、同一の符号を付して詳細な説明を省略する。
【００７７】
図１が示すように、第４の実施形態に係る読取システム１ｄは、読取装置３０ａの代わりに読取装置３０ｄを備える。また、図２が示すように、読取装置３０ｄは、外層３１、内層３２、リーダ３３及びアンテナ３４などから構成される。
【００７８】
図７は、読取装置３０ｄが備える反射部材１００の接続関係の構成例を示す。  
図７が示すように、反射部材１００は、壁面３１１上に複数形成される。
【００７９】
スイッチ４０１は、２つの反射素子１０１の間に形成される。即ち、スイッチ４０１は、一端を所定の反射素子１０１に接続し、他端を他の反射素子１０１に接続する。スイッチ２０１は、オペレータなどによってオン又はオフとなる。スイッチ４０１は、オンであれば、反射素子１０１同士を電気的に接続する。また、スイッチ２０１は、オフであれば、反射素子１０１同士を電気的に絶縁する。
【００８０】
図７が示す例では、反射素子１０１は、所定のスイッチ４０１を介してｘ軸方向に隣接する他の反射素子１０１と接続する。また、反射素子１０１は、所定のスイッチ４０１を介してｙ軸方向に隣接する他の反射素子１０１と接続する。
【００８１】
前述の通り、スイッチ４０１は、オペレータによって操作される。たとえば、読取システム１ｄの設置時などにおいて、オペレータは、各スイッチ４０１をオン又はオフにする。
【００８２】
オペレータは、壁面３１１の反射率が所定の反射率を持つように、各スイッチ４０１をオン又はオフにする。オペレータは、壁面３１１の位置に応じて異なる反射率を有するように、各スイッチ４０１をオン又オフにしてもよい。
【００８３】
なお、スイッチ４０１は、斜向かい反射素子１０１同士を接続するものであってもよい。
【００８４】
以上のように構成された読取装置は、反射素子同士をスイッチによって接続する。そのため、所定の反射素子に流れる電流は、他の反射素子に流れ込む。
【００８５】
その結果、スイッチをオン又はオフにすることで、放射波によって各反射素子に流れる電流の分布が制御される。従って、各壁面の反射率及び反射方向は、より詳細に制御される。
（第５の実施形態）
次に、第５の実施形態について説明する。  
第５の実施形態に係る読取装置は、反射素子１０１同士が可変コンデンサを介して接続する点で第１の実施形態のそれと異なる。従って、他の構成については、同一の符号を付して詳細な説明を省略する。
【００８６】
図１が示すように、第５の実施形態に係る読取システム１ｅは、読取装置３０ａの代わりに読取装置３０ｅを備える。また、図２が示すように、読取装置３０ｅは、外層３１、内層３２、リーダ３３及びアンテナ３４などから構成される。
【００８７】
図８は、読取装置３０ｅが備える反射部材１００の接続関係の構成例を示す。  
図８が示すように、反射部材１００は、壁面３１１上に複数形成される。
【００８８】
可変コンデンサ５０１は、２つの反射素子１０１の間に形成される。即ち、可変コンデンサ５０１は、一端を所定の反射素子１０１に接続し、他端を他の反射素子１０１に接続する。可変コンデンサ５０１の電気容量は、オペレータなどの操作によって変化する。
【００８９】
図８が示す例では、反射素子１０１は、所定の可変コンデンサ５０１を介してｘ軸方向に隣接する他の反射素子１０１と接続する。また、反射素子１０１は、所定の可変コンデンサ５０１を介してｙ軸方向に隣接する他の反射素子１０１と接続する。
【００９０】
前述の通り、可変コンデンサ５０１は、オペレータによって操作される。たとえば、読取システム１ｅの設置時などおいて、オペレータは、各可変コンデンサ５０１の電気容量を調整する。
【００９１】
オペレータは、壁面３１１の反射率が所定の反射率を持つように、各可変コンデンサ５０１の電気容量を調整にする。オペレータは、壁面３１１の位置に応じて異なる反射率を有するように、各可変コンデンサ５０１の電気容量を調整してもよい。
【００９２】
なお、反射素子１０１同士は、容量が固定されている固定コンデンサによって接続されてもよい。固定コンデンサは、反射素子１０１同士を電気的に接続する。
【００９３】
次に、変形例について説明する。
【００９４】
変形例では、読取装置３０ｅは、可変コンデンサ５０１の電気容量を自動的に調整する。  
図９は、変形例における読取装置３０ｅの構成例を説明するための図である。図９が示すように、読取装置３０ｅは、容量制御装置５０２をさらに備える。
【００９５】
容量制御装置５０２は、各可変コンデンサ５０１に接続する。容量制御装置５０２は、各可変コンデンサ５０１の電気容量を調整する。たとえば、容量制御装置５０２は、読取システム１ｅの設置時などにおいて、各可変コンデンサ５０１の電気容量を調整する。
【００９６】
たとえば、容量制御装置５０２は、開口部３５から漏洩する反射波の強度を測定するセンサに接続する。容量制御装置５０２は、センサが測定する強度に基づいて各可変コンデンサ５０１の電気容量を調整する。即ち、容量制御装置５０２は、センサが測定する強度が小さくなるように、各可変コンデンサ５０１の電気容量を調整する。
【００９７】
容量制御装置５０２は、たとえば、ＡＳＩＣ（application specific integrated circuit）から構成される。また、容量制御装置５０２は、プログラムを実行するプロセッサから構成されてもよい。
【００９８】
以上のように構成された読取装置は、反射素子同士を可変コンデンサによって接続する。そのため、所定の反射素子に流れる電流は、他の反射素子に流れ込む。また、可変コンデンサの電気容量を調整することで、所定の反射素子から他の反射素子に流れる電流の量が制御される。
【００９９】
その結果、各反射素子に放射波によって流れる電流の分布が制御される。従って、各壁面の反射率及び反射方向は、より詳細に制御される。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０１】
１ａ乃至１ｅ…読取システム、１０…ＰＯＳ端末、３０ａ乃至３０ｅ…読取装置、３１…外層、３２…内層、３３…リーダ、３４…アンテナ、３５…開口部、４０…商品、４１…無線タグ、１００…反射部材、１０１…反射素子、１０２…支持部、２００…反射部材、２０１…スイッチ、３００…反射部材、３０１…可変コンデンサ、３１１…壁面、３１２…壁面、３１３…壁面、４０１…スイッチ、５０１…可変コンデンサ、５０２…容量制御装置。
【図１】
2019139702.tif 000003
【図２】
2019139702.tif 000004
【図３】
2019139702.tif 000005
【図４】
2019139702.tif 000006
【図５】
2019139702.tif 000007
【図６】
2019139702.tif 000008
【図７】
2019139702.tif 000009
【図８】
2019139702.tif 000010
【図９】
2019139702.tif 000011